(57)【要約】【課題】高温環境の組み立て工程を通過しても不具合が生じることが抑制され、しかも光学性能的に優れるレンズユニット及び撮像装置を提供する。【解決手段】ホルダ２１と前絞り３０を接着したときに、凹部Ｃの少なくとも一部が物体側に露出するので、凹部Ｃに接着剤を付与した後も、前絞り３０とホルダ２１との間の空間が、物体側に露出した切欠３０ａを介して外部と連通するので、リフロー工程のような高温環境に曝されても、脱気が促されることで、ホルダ２１の変形や前絞り３０の脱落等の恐れが抑制され、低コストで高品質なレンズユニットを提供できる。【選択図】図１
2014085361.tif 000002
【特許請求の範囲】
【請求項１】
撮像レンズと、
筒状部と、該筒状部から半径方向に延在し第１開口を形成した壁部とを備え、前記撮像レンズを保持するホルダと、
第２開口を有する円板状の前絞りとを有し、
前記ホルダには、前記壁部の物体側面であって前記第１開口の周囲に凹部が設けられ、前記前絞り部は、前記凹部に付与された接着剤で前記凹部を覆うようにして前記ホルダに固定されており、前記ホルダと前記前絞りを接着したときに、前記凹部の少なくとも一部が物体側に露出していることを特徴とするレンズユニット。
【請求項２】
前記凹部は、前記前絞りを支持する環状の座繰りを含み、前記前絞りの外周の一部に切欠を設けていることを特徴とする請求項１に記載のレンズユニット。
【請求項３】
前記前絞りは、それぞれ切欠を外周に有する複数の円板を前記切欠内で架橋部により相互に連結してなる薄板状の中間生成体を、前記架橋部で切断することによって形成されることを特徴とする請求項２に記載のレンズユニット。
【請求項４】
前記凹部は、前記前絞りを支持する環状の座繰りの一部と、前記座繰りから半径方向外方にはみ出した領域とを有することを特徴とする請求項1に記載のレンズユニット。
【請求項５】
前記前絞りは、複数の円板を架橋部により相互に連結してなる薄板状の中間生成体を、前記架橋部で切断することによって形成されることを特徴とする請求項４に記載のレンズユニット。
【請求項６】
前記中間生成体は、金属製であってプレス成形もしくはエッチング加工により形成されていることを特徴とする請求項３又は５に記載のレンズユニット。
【請求項７】
前記中間生成体は、樹脂製であって射出成形により形成されていることを特徴とする請求項３又は５に記載のレンズユニット。
【請求項８】
前記前絞りは、樹脂シートをプレス加工することにより形成されていることを特徴とする請求項１又は２に記載のレンズユニット。
【請求項９】
リフロー工程を経て形成されることを特徴とする請求項１〜８のいずれかに記載のレンズユニット。
【請求項１０】
請求項１〜９のいずれかに記載のレンズユニットと、固体撮像素子とを有することを特徴とする撮像装置。
【発明の詳細な説明】
【技術分野】
【０００１】
本発明は、レンズユニット及び撮像装置に関し、特に小型で大量生産に好適なレンズユニット及び撮像装置に関する。
【背景技術】
【０００２】
小型でかつ薄型の撮像装置（以下、カメラモジュールとも称す）が、携帯電話機やＰＤＡ（Ｐｅｒｓｏｎａｌ Ｄｉｇｉｔａｌ Ａｓｓｉｓｔａｎｔ）等の携帯端末に用いられている。これらの撮像装置に使用される撮像素子としては、ＣＣＤ型イメージセンサやＣＭＯＳ型イメージセンサ等の固体撮像素子が知られている。近年では撮像素子の高画素化が進んでおり、高解像、高性能化が図られてきている。
【０００３】
ところで、回路基板上にＩＣ（Ｉｎｔｅｇｒａｔｅｄ Ｃｉｒｃｕｉｔｓ）チップその他の電子部品を実装する電子回路部品の技術分野においては、回路基板の所定位置に予め金属ペースト（例えば半田ペースト）を塗布（ポッティング）しておき、その位置に電子部品を載置した状態で当該回路基板をリフロー処理（加熱処理）して、当該回路基板に電子部品をはんだ実装する技術により、低コストで電子回路部品を製造する技術が開発されている。近年においては、このような技術を撮像装置に用いることが検討されている。
【０００４】
一方、光学設計の観点から、撮像レンズの物体側に、Fナンバーを決める絞り（これを前絞りという）を設けると好ましい場合がある。前絞りを設けると好ましい理由を説明する。一般的な撮像装置ではセンサへの入射光線の角度が大きくなると、画素間のクロストークや受光光量の低下などの問題が起こりがちである。そこで、センサへの入射角を小さく抑えるため、射出瞳を像面から遠ざけることが行われる。射出瞳位置は一般に開口絞り位置の近傍になるため、開口絞りを像面から遠ざけることで射出瞳も像面から遠ざけることができるが、前置絞りとすれば、光学全長を小さく保ちながら、開口絞りを像面から遠ざけることができ、センサへの光線入射角を小さく抑えることができるというメリットがある。
【０００５】
ここで、コストや組み立ての手間を考えると、本来的には撮像レンズを保持する樹脂製のホルダの成形時に、前絞りを同時に成形することが望ましい。しかるに、絞りをレンズから離すことで、軸上光束と周辺光束がレンズの異なる位置に入射するため、少ない光学面の場合でも像面湾曲や非点収差の補正を有利にすることができるから、一般的な前絞りは、撮像レンズの物体側面よりも物体側に離れていて、且つ前絞り径は撮像レンズの有効径よりも小さくなっている。つまり、前絞りと、撮像レンズの物体側絞りとの間には本来的に空間が生じるため、前絞りとホルダとを一体成形することは困難である。特許文献１には、前絞りを別部品として構成し、ホルダに取り付ける構成が開示されている。
【先行技術文献】
【特許文献】
【０００６】
【特許文献１】特開2010-164755号公報
【発明の概要】
【発明が解決しようとする課題】
【０００７】
ところで、携帯端末の薄さを確保すべく、撮像装置の小型化が要求されているから、前絞りとホルダとを別体とした場合、前絞りはねじ締結等によらず、接着剤でホルダに接着されることが望ましい。更に、撮像装置の外観品質を維持するためには、ホルダを接着剤した接着剤は、外部に極力溢れ出ないようにする注意する必要がある。よって、ホルダ側に凹部を形成し、そこに付与した接着剤を用いて前絞りを接着する手法が試みられている。
【０００８】
ところが、このような手法で前絞りを接着したホルダと撮像レンズとを含むレンズユニットを、リフロー工程に供したところ、凹部と前絞りとの間で接着剤により密閉された空気が膨張し、その内圧でホルダの変形や前絞りの脱落等が生じる場合があることがわかった。特に、外観品質を確保するためには、外部に溢れ出る接着剤を極力抑えるため、凹部の容積よりも少ない体積の接着剤を用いることが望まれており、これにより空気が密閉される可能性が高まるため問題である。
【０００９】
本発明は、かかる従来技術の問題点に鑑みてなされたものであり、高温環境の組み立て工程を通過しても不具合が生じることが抑制され、しかも光学性能的に優れるレンズユニット及び撮像装置を提供することを目的とする。
【課題を解決するための手段】
【００１０】
請求項１に記載の撮像装置は、
撮像レンズと、
筒状部と、該筒状部から半径方向に延在し第１開口を形成した壁部とを備え、前記撮像レンズを保持するホルダと、
第２開口を有する円板状の前絞りとを有し、
前記ホルダには、前記壁部の物体側面であって前記第１開口の周囲に凹部が設けられ、前記前絞り部は、前記凹部に付与された接着剤で前記凹部を覆うようにして前記ホルダに固定されており、前記ホルダと前記前絞りを接着したときに、前記凹部の少なくとも一部が物体側に露出していることを特徴とする。
【００１１】
本発明によれば、前記ホルダには、前記壁部の物体側面であって前記第１開口の周囲に凹部が設けられ、前記前絞り部は、前記凹部に付与された接着剤で前記凹部を覆うようにして前記ホルダに固定されており、前記ホルダと前記前絞りを接着したときに、前記凹部の少なくとも一部が物体側に露出しているので、前記凹部に接着剤を付与した後も、前記前絞りと前記ホルダとの間の空間が、物体側に露出した前記凹部の少なくとも一部を介して外部と連通するから、リフロー工程のような高温環境に曝されても、連通部を介して内部からの脱気が促されることで、前記ホルダの変形や前記前絞りの脱落等の恐れが抑制され、低コストで高品質なレンズユニットを提供できる。
【００１２】
請求項２に記載のレンズユニットは、請求項１に記載の発明において、前記凹部は、前記前絞りを支持する環状の座繰りを含み、前記前絞りの外周の一部に切欠を設けていることを特徴とする。
【００１３】
本発明によれば、前記前絞りの外周の一部に切欠を設けているので、この切欠を介して前記凹部の少なくとも一部が物体側に露出するので、リフロー工程のような高温環境に曝されても脱気が促されることで、前記ホルダの変形や前記前絞りの脱落等の恐れが抑制され、低コストで高品質なレンズユニットを提供できる。
【００１４】
請求項３に記載のレンズユニットは、請求項２に記載の発明において、前記前絞りは、それぞれ切欠を外周に有する複数の円板を前記切欠内で架橋部により相互に連結してなる薄板状の中間生成体を、前記架橋部で切断することによって形成されることを特徴とする。
【００１５】
前記前絞りを、それぞれ切欠を外周に有する複数の円板を前記切欠内で架橋部により相互に連結してなる薄板状の中間生成体から形成すれば、高精度な前絞りを安価に大量生産できる。特に、前記前絞りは、前記撮像レンズに対して高精度に位置決めする必要があるのに対し、本発明のように前記切欠内で前記架橋部を切断すれば、切断部が前記前絞りの径方向外方に突出することが抑制され、前記前絞りを前記環状の座繰りに嵌合させたとき、前記切断部と前記座繰りとの干渉が抑制されて、高精度な組付けが可能になる。又、前記架橋部を切断する際に作用する力により、その近傍の前記前絞りの形状に影響を与えることもあるが、前記架橋部を前記切欠内に形成することで、切断の影響を前記切欠内に留めて前記前絞りの外径に及ぶことを抑制できる。更に、前記座繰りに対する切断部の位相も無関係であるため、製造の手間が省ける。
【００１６】
請求項４に記載のレンズユニットは、請求項１に記載の発明において、前記凹部は、前記前絞りを支持する環状の座繰りの一部と、前記座繰りから半径方向外方にはみ出した領域とを有することを特徴とする。
【００１７】
本発明によれば、前記凹部が前記座繰りから半径方向外方にはみ出した領域とを有するので、かかる領域が、前記前絞りを接着した状態で物体側に露出するため、リフロー工程のような高温環境に曝されても脱気が促されることで、前記ホルダの変形や前記前絞りの脱落等の恐れが抑制され、低コストで高品質なレンズユニットを提供できる。
【００１８】
請求項５に記載のレンズユニットは、請求項４に記載の発明において、前記前絞りは、複数の円板を架橋部により相互に連結してなる薄板状の中間生成体を、前記架橋部で切断することによって形成されることを特徴とする。
【００１９】
前記前絞りを、複数の円板を架橋部により相互に連結してなる薄板状の中間生成体から形成すれば、高精度な前絞りを安価に大量生産できる。尚、前記架橋部で切断することで前記前絞りの外周に切断部が突出して残存しても、前記凹部が前記座繰りから半径方向外方にはみ出した領域に、切断部を合わせるように組み付けることで、前記前絞りを支持する環状の座繰りの一部に前記前絞りを精度良く密着させることができ、その適正な位置決めを行える。
【００２０】
請求項６に記載に記載のレンズユニットは、請求項３又は５に記載の発明において、前記中間生成体は、金属製であってプレス成形もしくはエッチング加工により形成されていることを特徴とする。
【００２１】
これにより、低コストながら精度の良い前絞りを形成できる。尚、エッチング加工とは、例えば特開平０８−２８３９６６号公報に記載されているように、金属板に腐食液を局所的に付与することで加工するものをいう。
【００２２】
請求項７に記載に記載のレンズユニットは、請求項３又は５に記載の発明において、前記中間生成体は、樹脂製であって射出成形により形成されていることを特徴とする。
【００２３】
これにより、低コストながら精度の良い前絞りを形成できる。この場合、耐熱性の樹脂を用いるのが好ましい。
【００２４】
請求項８に記載に記載のレンズユニットは、請求項１又は２に記載の発明において、前記前絞りは、樹脂シートをプレス加工することにより形成されていることを特徴とする。
【００２５】
これにより、低コストながら精度の良い前絞りを形成できる。この場合、耐熱性の樹脂を用いるのが好ましい。
【００２６】
請求項８に記載のレンズユニットは、請求項１〜７のいずれかに記載の発明において、リフロー工程を経て形成されることを特徴とする。リフロー工程については、高温のリフロー槽内を通過させて端子間のハンダボール等を溶融させて一括結線を実現するものであり、例えば特開2002-223378号公報に記載されている。
【００２７】
請求項９に記載の撮像装置は、請求項１〜８のいずれかに記載のレンズユニットと、固体撮像素子とを有することを特徴とする。
【発明の効果】
【００２８】
本発明により、高温環境の組み立て工程を通過しても不具合が生じることが抑制され、しかも光学性能的に優れるレンズユニット及び撮像装置を提供することができる。
【図面の簡単な説明】
【００２９】
【図１】第１の実施の形態にかかる撮像装置５０の上面図である。
【図２】図１の構成を矢印II-II線で切断して矢印方向に見た断面図である。
【図３】ホルダと前絞りの組み付け前の状態を示す斜視図である。
【図４】（ａ）中間生成体の斜視図であり、（ｂ）中間生成体から前絞りを切断する状態を示す図である。
【図５】第１の実施の形態の変形例にかかる撮像装置５０の上面図である。
【図６】それぞれ前絞りの別な例を示す図である。
【図７】第２の実施の形態にかかるホルダと前絞り組み付け前の状態を示す斜視図である。
【図８】第２の実施の形態の変形例にかかる撮像装置５０の上面図である。
【図９】撮像装置５０をデジタル機器である携帯端末としての携帯電話機１００に装備した状態を示す図である。
【図１０】携帯電話機１００の制御ブロック図である。
【発明を実施するための形態】
【００３０】
以下、本発明の実施の形態を、図面を参照して説明する。図１は、第１の実施の形態にかかる撮像装置５０の上面図であり、図２は、図１の構成を矢印II-II線で切断して矢印方向に見た断面図である。図２で物体側を上方とする。図３は、ホルダと前絞りの組み付け前の状態を示す斜視図である。
【００３１】
図２に示すように、撮像装置５０は、光電変換部５１ａを有する固体撮像素子としてのＣＭＯＳ型イメージセンサ５１と、このイメージセンサ５１の光電変換部５１ａに被写体像を撮像させるガラス製の撮像レンズＯＵと、撮像レンズＯＵを保持するホルダ２１と、撮像レンズＯＵに対しスペーサ２２を隔ててホルダ２１に取り付けられたガラス製のＩＲカットフィルタ２３と、イメージセンサ５１を保持すると共にその電気信号の送受を行う外部接続用端子（不図示）を有する基板５２とを備え、これらはリフロー工程を介して一体的に組み立てられている。撮像レンズＯＵを保持したホルダ２１と前絞り３０とで、レンズユニットを構成する。撮像レンズＯＵは、１枚のレンズでも複数枚のレンズでも良いし、ホルダ２１にインサート成形されても良い。
【００３２】
上記イメージセンサ５１は、その受光側の平面の中央部に、画素（光電変換素子）が２次元的に配置された、受光部としての光電変換部５１ａが形成されており、不図示の信号処理回路に接続されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、イメージセンサ５１の受光側の平面の外縁近傍には、多数のパッド（図示略）が配置されており、不図示のワイヤを介して基板５２に接続されている。イメージセンサ５１は、光電変換部５１ａからの信号電荷をデジタルＹＵＶ信号等の画像信号等に変換し、ワイヤ（不図示）を介して基板５２上の所定の回路に出力する。ここで、Ｙは輝度信号、Ｕ（＝Ｒ−Ｙ）は赤と輝度信号との色差信号、Ｖ（＝Ｂ−Ｙ）は青と輝度信号との色差信号である。なお、固体撮像素子は上記ＣＭＯＳ型のイメージセンサに限定されるものではなく、ＣＣＤ等の他のものを使用しても良い。
【００３３】
基板５２は、不図示の外部接続用端子を介して外部回路（例えば、撮像装置を実装した携帯端末の上位装置が有する制御回路）と接続し、外部回路からイメージセンサ５１を駆動するための電圧やクロック信号の供給を受けたり、また、デジタルＹＵＶ信号を外部回路へ出力したりすることを可能とする。
【００３４】
角筒状のホルダ２１は、基板５２上に下面を突き当てた脚部（筒状部）２１ａと、脚部２１ａの上端側で半径方向内方延在する壁部２１ｂとを有する。壁部２１ｂの半径方向外方には、略円筒面２１ｃと交差するようにして環状の座繰り２１ｄが形成されている。座繰り２１ｄは光軸直交面とそれに交差する円周面とで形成される。前絞り３０が嵌合する座繰り２１ｄを円形にすると、ホルダ２１を耐熱の樹脂で成形する場合、座繰り転写面の金型加工を旋盤による切削加工で行えるので、座繰り２１ｄにおける平面方向の位置精度が高くなるので好ましい。ホルダ２１に対する前絞り３０の平面方向位置精度が高く求められる時に有利である。
【００３５】
壁部２１ｂの光軸直交方向内側上面には、物体側に向かうにつれて縮径する外方テーパ面２１ｅが形成され、それを超えると，今度は物体側に向かうにつれて拡径する内方テーパ面２１ｆが形成されている。内方テーパ面２１ｆの代わりに、開口２１ｇ（後述）の内径φAと前絞り３０ｃ（後述）の内径φBとを結ぶ（図示よりも内周側に増肉する）ようなテーパ面を設けても構わないが、図示のような内方テーパ面２１ｆにしたのは、その樹脂内周面によるゴースト発生を抑制する効果があるためである。一方、内方テーパ面２１ｆの内側に、内径φＡの開口（第１開口）２１ｇが設けられている。略円筒面２１ｃと外方テーパ面２１ｅとの間が、接着剤ＢＤを付与する凹部Ｃとなる。ここでは、ホルダ２１の成形性（樹脂の流動性）を考慮して、外方テーパ面２１ｅとしたが、成形上問題がなければ垂直の壁にしても良い。更に、凹部Ｃを覆うようにして、前絞り３０が設けられている。
【００３６】
前絞り３０は、ここでは薄い金属製の円板であり、外周の一部に略円弧状の切欠３０ａが形成され、その切欠３０ａの中央に、半径方向外方に向かって延在する切断部３０ｂが形成されている。前絞り３０の中央には、内径φＢの開口（第２開口）３０ｃが形成されている。前絞り３０は、Ｆナンバーを規定する機能を有する。よって、φＡ＞φＢである。
【００３７】
前絞り３０の外径は、座繰り２１ｄの内径にほぼ等しく、前絞り３０を座繰り２１ｄに嵌合させるようにして組み付けられる。このとき、切断部３０ｂは、切欠３０ａ内から突出しているが座繰り２１ｄに接触せず、加えて、切断部３０ｂを形成する際の影響により切欠３０ａに歪みが生じても、その影響は前絞り３０の外縁に及ばないので、前絞り３０を座繰り２１ｄに精度良く設置できる。このとき、図１の矢印Ｄに示すように、切欠３０ａを介して凹部Ｃの一部が物体側に露出する。尚、図２に示すように、ホルダ２１の内方テーパ面２１ｆと、前絞り３０の間には環状の空間が生じるので、ホルダ２１と前絞り３０とを組み合わせたものを一体成形できないことは明らかである。
【００３８】
前絞り３０の製造方法を説明する。一様な厚さの板材をプレス成形又はエッチング加工することにより、図４(ａ)に示すごとき中間生成体ＩＭを成形する。中間生成体ＩＭは、前絞り３０の切欠３０ａ内から延在する架橋部３０ｄにより相互に連結されている。更に、図４(ｂ)に示すように、中間生成体ＩＭから、切欠３０ａ内で（矢印Ｅの位置，すなわち外周の延長線に至る前で）架橋部３０ｄを切断する。これにより、前絞り３０が大量に安価に製造できる。
【００３９】
図１において、前絞り３０を座繰り２１ｄに載置した状態で、切欠３０ａから１８０°位相で離れた一点鎖線で示す位置に、例えば熱硬化性の接着剤ＢＤを滴下する。固化する前は粘度が低い接着剤ＢＤは，開口２１ｇの周囲をドーナッツ状の凹部Ｃに沿って両側から回り込んで、切欠３０ａの付近で衝合する。この接着剤ＢＤが衝合した付近で密閉空間が生じやすいため、かかる位置に切欠３０ａを設けることは効果がある。その後、熱を付与することで、接着剤ＢＤが固化し、ホルダ２１に前絞り３０を固定する。更に、後工程であるリフロー工程で、イメージセンサ５１や基板５２に取り付けられることとなる。
【００４０】
本実施の形態によれば、ホルダ２１と前絞り３０を接着したときに、凹部Ｃの少なくとも一部（Ｄ）が物体側に露出するので、凹部Ｃに接着剤を付与した後も、前絞り３０とホルダ２１との間の空間が、物体側に露出した切欠３０ａを介して外部と連通するので、リフロー工程のような高温環境に曝されても、脱気が促されることで、ホルダ２１の変形や前絞り３０の脱落等の恐れが抑制され、低コストで高品質なレンズユニットを提供できる。
【００４１】
特に、前絞り３０は、撮像レンズＯＵに対して高精度に位置決めする必要があるのに対し、上述したように切欠３０ａ内で架橋部３０ｄを切断すれば、切断部３０ｃが前絞り３０ａの径方向外方に突出することが回避され、前絞り３０を環状の座繰り２１ｄに嵌合させたとき、切断部３０ｃと座繰り２１ｄとの干渉が抑制されて、高精度な組付けが可能になる。又、切断部３０ｃを切欠３０ａ内に形成すれば、切断時の影響が前絞り３０の外径に及ぶことを抑制できる。更に、本実施の形態では、座繰り２１ｄに対する切断部３０ｃの位相も無関係であるため、製造の手間が省ける。
【００４２】
図５は、本実施の形態の変形例にかかる撮像装置の上面図である。本変形例においては、前絞り３０は、対向する位置に一対の切欠３０ａを設けている。従って、図５に一点鎖線で示すように、接着剤ＢＤを滴下する位置は、切欠３０ａから９０°位相で離れた位置である。本変形例によれば、接着剤ＢＤの充填不足を回避できる。尚、図示しないが、この例での中間生成体は、前絞り３０を架橋部で一列に連結した形状になる。
【００４３】
尚、本実施の形態で用いることができる前絞りは、上述した例に限られない。図６（ａ）に示すように、切欠の代わりに、前絞り３０の外周の一部を接線に平行に直線状（Ｌ）に切り取ったような成形形状とし、その中央に架橋部を同時に成形して、成形後にこれを切断することで切断部３０ｂを形成しても良い。あるいは、図６（ｂ）に示すように、中間生成体の成形後に、架橋部３０ｄの位置で前絞り３０の外周を接線に平行に直線状（Ｌ）に、架橋部３０ｄごと切断するようにしてもよい。かかる場合、架橋部３０ｄを切断した残りである切断部は存在しないことになる。尚、前絞り３０は、図４に示す中間生成体を樹脂から金型を用いて射出成形しても良く、この場合、架橋部はゲートの位置になり、切断部３０ｂはゲートカットになる。あるいは、樹脂シートをプレス加工することで前絞りを直接形成しても良い。プレス成形についてはよく知られているので、ここでは詳細を記載しない。
【００４４】
図７は、第２の実施の形態にかかるホルダと前絞りとを示す斜視図である。本実施の形態においては、ホルダ２１’の壁部２１ｂの物体側が、ホルダ２１’の外周に沿って正方形状にくり抜かれて凹部Ｃを形成している。凹部Ｃの光軸直交方最大寸法（対角長）は、座繰り２１ｄの内径より大きく、凹部Ｃの光軸直交方最小寸法（一辺長）は、座繰り２１ｄの内径より小さい。従って、座繰り２１ｄは、図に示すように凹部Ｃの４辺で切り取られた４つの円弧形状（環状の一部）を有する。一方、前絞り３０’の外形は、本実施の形態では完全な円形であり、プレス加工やエッチング加工で製造できる。それ以外の構成は、上述した実施の形態と同様である。
【００４５】
本実施の形態によれば、ホルダ２１’と前絞り３０’を接着したときに、凹部Ｃの対角方向４カ所（座繰り２１ｄに係合する前絞り３０’からはみ出す領域Ｆ）が物体側に露出するので、凹部Ｃに接着剤を付与した後も、前絞り３０’とホルダ２１’との間の空間が外部と連通でき、リフロー工程のような高温環境に曝されても、脱気が促されることで、ホルダ２１’の変形や前絞り３０’の脱落等の恐れが抑制され、低コストで高品質なレンズユニットを提供できる。
【００４６】
図８は、本実施の形態の変形例にかかる撮像装置の上面図である。本変形例においては、凹部Ｃの前絞り３０’からはみ出した領域Ｆを、１カ所のみとしている。尚、前絞り３０’には、中間生成体から切り離した切断部３０ｃを外周から突出して設けているが、かかる切断部３０ｃを、凹部Ｃの前絞り３０’からはみ出した領域Ｆと光軸周りに位相を合わせて組み付けることで、座繰り２１ｄとの干渉を回避できる。
【００４７】
次に、上述した撮像装置５０の使用態様について説明する。図９は、撮像装置５０をデジタル機器である携帯端末としての携帯電話機１００に装備した状態を示す図である。また、図１０は携帯電話機１００の制御ブロック図である。
【００４８】
撮像装置５０は、例えば、撮像レンズＯＵの物体側端面が携帯電話機１００の背面（液晶表示部側を正面とする）に設けられ、液晶表示部の下方に相当する位置になるよう配設される。
【００４９】
撮像装置５０の外部接続用端子（不図示）は、携帯電話機１００の制御部１０１と接続され、輝度信号や色差信号等の画像信号を制御部１０１側に出力する。
【００５０】
一方、携帯電話機１００は、図１０に示すように、各部を統括的に制御すると共に、各処理に応じたプログラムを実行する制御部（ＣＰＵ）１０１と、番号等をキーにより支持入力するための入力部６０と、撮像した画像や映像等を表示する表示部７０と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像装置５０による撮像データ等を一時的に格納する作業領域として用いられる一時記憶部（ＲＡＭ）９２とを備えている。
【００５１】
携帯電話機１００を把持する撮影者が、被写体に対して撮像装置５０の撮像レンズＯＵを向けると、イメージセンサ５１に静止画又は動画の画像信号が取り込まれる。所望のシャッタチャンスで、図９に示すボタンＢＴを撮影者が押すことでレリーズが行われ、画像信号が撮像装置５０に取り込まれることとなる。撮像装置５０から入力された画像信号は、上記携帯電話機１００の制御系に送信され、記憶部９２に記憶されたり、或いは表示部７０で表示され、さらには、無線通信部８０を介して映像情報として外部に送信されることとなる。
【産業上の利用可能性】
【００５２】
本発明は、明細書に記載の実施例に限定されるものではなく、他の実施例・変形例を含むことは、本明細書に記載された実施例や思想から本分野の当業者にとって明らかである。例えば、本発明はリフロー工程だけでなく、検査工程など高温環境におかれる場合に効果を発揮する。
【符号の説明】
【００５３】
２１、２１’        ホルダ
２１ａ            脚部
２１ｂ            壁部
２１ｃ            略円筒面
２１ｄ        座繰り
２１ｅ            外方テーパ面
２１ｆ            内方テーパ面
２１ｇ            開口
２２            スペーサ
２３            ＩＲカットフィルタ
３０、３０’  前絞り
３０ａ            切欠
３０ｂ            切断部
３０ｃ            開口
３０ｄ            架橋部
５０          撮像装置
５１            イメージセンサ
５１ａ            光電変換部
５２            基板
６０            入力部
７０            表示部
８０            無線通信部
９２            記憶部
１００            携帯電話機
１０１            制御部・実施例
ＢＤ            接着剤
ＢＴ            ボタン
Ｃ            凹部
ＩＭ            中間生成体
ＯＵ            撮像レンズ
【図１】
2014085361.tif 000003
【図２】
2014085361.tif 000004
【図３】
2014085361.tif 000005
【図４】
2014085361.tif 000006
【図５】
2014085361.tif 000007
【図６】
2014085361.tif 000008
【図７】
2014085361.tif 000009
【図８】
2014085361.tif 000010
【図９】
2014085361.tif 000011
【図１０】
2014085361.tif 000012